(57)【要約】【課題】  従来の光受信装置は、フレーム異常を検出しても光信号のレベル低下を検出しない場合に微調整モードで等化処理を行うため、安定した通信を行うことが難しいという問題があった。【解決手段】  各々の特性が異なる冗長化された複数の経路から受信する光信号のいずれかを選択する切替部と、切替部が出力する光信号を復調する光受信部と、光受信部が復調したデータのフレーム異常を検出するフレーム部と、フレーム部がフレーム異常を検出した場合に切替部を制御して他の経路の光信号に切り替えると共に、光受信部の等化処理を第１モードから第１モードよりも等化処理を高速で実行する第２モードに遷移させる制御部とを有することを特徴とする。【選択図】図１
2017005605.tif 000002
【特許請求の範囲】
【請求項１】
各々の特性が異なる冗長化された複数の経路から受信する光信号のいずれかを選択する切替部と、
前記切替部が出力する光信号を復調する光受信部と、
前記光受信部が復調したデータのフレーム異常を検出するフレーム部と、
前記フレーム部がフレーム異常を検出した場合に前記切替部を制御して他の経路の光信号に切り替えると共に、前記光受信部の等化処理を第１モードから前記第１モードよりも前記等化処理を高速で実行する第２モードに遷移させる制御部と
を有することを特徴とする光受信装置。
【請求項２】
請求項１に記載の光受信装置において、
前記光受信部は、予め与えられた関数を信号に乗算して波形歪みの等化処理を行う固定等化器と、前記第１モードにおいて波形歪みが小さくなるように動的な等化処理を行う適応等化器と、信号の位相同期を図る位相同期部とを少なくとも有し、
前記光受信部は、前記制御部から前記第２モードでの動作の指令を受けた場合に、前記固定等化器の関数を前記切替部が出力する光信号の波形歪みの逆関数に設定し、後段の前記位相同期部が位相同期するまで前記逆関数の特性をスイープさせて、前記位相同期部が位相同期したときに前記逆関数を固定する
ことを特徴とする光受信装置。
【請求項３】
各々の特性が異なる冗長化された複数の経路から受信する光信号のいずれかに切り替えて光信号の歪みを等化処理して復調し、復調したデータのフレーム異常を検出した場合に他の経路の光信号に切り替えると共に、前記等化処理を低速で行う第１モードから前記第１モードよりも前記等化処理を高速で実行する第２モードに遷移させる
ことを特徴とする光受信装置における経路切替方法。
【請求項４】
請求項３に記載の経路切替方法において、
前記光受信装置は、予め与えられた関数を信号に乗算して波形歪みの等化処理を行う固定等化器と、前記第１モードにおいて波形歪みが小さくなるように動的な等化処理を行う適応等化器と、信号の位相同期を図る位相同期部とを少なくとも有し、
前記第２モードの場合に、前記固定等化器の前記関数を前記切替部が出力する光信号の波形歪みの逆関数に設定し、後段の前記位相同期部が位相同期するまで前記逆関数の特性をスイープさせて、前記位相同期部が位相同期したときに前記逆関数を固定する
ことを特徴とする光受信装置における経路切替方法。
【発明の詳細な説明】
【技術分野】
【０００１】
本発明は、光受信装置および光パス切替制御方法に関する。
【背景技術】
【０００２】
近年、データ通信の高速化と広域化に伴い、デジタルコヒーレント技術を用いた光通信装置が開発され、100Gbit/sを超える高速伝送が実現されている。例えば、大容量の伝送が可能なＷＤＭ(Wavelength Division Multiplexing（波長分割多重））装置を用いた伝送システムは、Ethernet(登録商標), SDH(Synchronous Digital Hierarchy)/SONET(Synchronous Optical NETwork)等に対応するフレームを伝送する。また、伝送経路は、通信の信頼性を確保するために冗長化され、光受信装置は、例えば現用パスの障害を検出した場合に予備パスに切り替える。
【０００３】
このようなデジタルコヒーレント技術を用いた光受信装置は、伝送路などで生じる波長分散などの信号波形の歪みをデジタル処理によって補償する機能を有している（例えば、特許文献１参照）。また、光受信装置は、定常時の変動に対して信号波形の歪みを高速で粗く等化する粗調整モードと、定常時の変動に対して信号波形の歪みを低速で精度良く等化する微調整モードとを有する。
【先行技術文献】
【特許文献】
【０００４】
【特許文献１】特開２０１１−１６６６２７号公報
【発明の概要】
【発明が解決しようとする課題】
【０００５】
ところが、冗長化されたパスでは、全く別の経路を通ってデータが受信されるため、パスの切替前後で波長分散量などの特性が異なる場合がある。このため、光受信装置は、パスを切り替えたときに、パスの切替前の特性に適した補償がパスの切替後の特性に適さないことがあるため、パスの切替後に歪み補償の再調整を要する。一方、光受信装置は、パスの切り替えによって光信号のレベル低下を検出したときは伝送路断と判断して粗調整モードに移行する。しかし、光増幅器で発生する光雑音光の影響や光スイッチ切替時の消光比が無信号時にも完全に０にならないため、光信号のレベル低下を検出しない場合がある。この場合、光受信装置は、伝送路断を認識しないので、粗調整モードに移行しない。その結果、パスの切替後に通信が安定するまで微調整モードで動作することになり、通信が安定するまで長い時間を要するという問題が生じる。
【０００６】
本件開示の光受信装置および光パス切替制御方法は、光信号のレベル低下を検出しない場合においても安定した通信を従来技術よりも迅速に行うことができる技術を提供することを目的とする。
【課題を解決するための手段】
【０００７】
一つの観点によれば、各々の特性が異なる冗長化された複数の経路から受信する光信号のいずれかを選択する切替部と、切替部が出力する光信号を復調する光受信部と、光受信部が復調したデータのフレーム異常を検出するフレーム部と、フレーム部がフレーム異常を検出した場合に切替部を制御して他の経路の光信号に切り替えると共に、光受信部の等化処理を第１モードから前記第１モードよりも前記等化処理を高速で実行する第２モードに遷移させる制御部とを有することを特徴とする。
【０００８】
一つの観点によれば、冗長化された特性が異なる複数の経路から受信する光信号のいずれかに切り替えて光信号の歪みを等化処理して復調し、復調したデータのフレーム異常を検出した場合に他の経路の光信号に切り替えると共に、等化処理を低速で行う第１モードから前記第１モードよりも前記等化処理を高速で実行する第２モードに遷移させることを特徴とする。
【発明の効果】
【０００９】
本件開示の光受信装置および光パス切替制御方法は、光信号のレベル低下を検出しない場合においても安定した通信を従来技術よりも迅速に行うことができる。
【図面の簡単な説明】
【００１０】
【図１】本実施形態に係る光受信装置の一例を示す図である。
【図２】光伝送路の一例を示す図である。
【図３】光受信モジュールの一例を示す図である。
【図４】本実施形態に係る光受信装置の処理例を示す図である。
【図５】比較例の光受信装置の一例を示す図である。
【図６】比較例の光受信装置の処理例を示す図である。
【発明を実施するための形態】
【００１１】
以下、図面を用いて、光受信装置および光パス切替制御方法の実施形態を説明する。
【００１２】
図１は、デジタルコヒーレント技術を用いた光通信システム１００の一例を示す。図１において、光通信システム１００は、光送信装置１０１と光受信装置１０２とを有し、光送信装置１０１および光受信装置１０２は、第１光伝送路１５１ａおよび第２光伝送路１５１ｂの２つの経路で接続される。
【００１３】
光送信装置１０１は、例えばＷＤＭ方式により、送信フレームを予め決められた波長の光信号に変調して第１光伝送路１５１ａおよび第２光伝送路１５１ｂに２分岐して送信する。ここで、以降の説明において、第１光伝送路１５１ａおよび第２光伝送路１５１ｂに共通の内容を示す場合は符号末尾のアルファベットを省略して光伝送路１５１と表記する。
【００１４】
光受信装置１０２は、第１光伝送路１５１ａおよび第２光伝送路１５１ｂから受信する予め決められた同じ波長の光信号の何れかを選択して受信し、受信した光信号を復調して受信フレームを出力する。
【００１５】
ここで、第１光伝送路１５１ａおよび第２光伝送路１５１ｂは、中継装置などを含めて物理的に別の経路であり、波長分散量などの波形歪みやノイズなどの特性が異なる。
【００１６】
図１において、光受信装置１０２は、ＯＵＳＰＲ(Optical Unidirectional Path Switched Ring)盤２０１と、ＴＲＰＮ(TRansPNder)盤２０２とを有する。
【００１７】
ＯＵＳＰＲ盤２０１は、入力回路３０１ａと、入力回路３０１ｂと、光ＳＷ(SWitch)３０２とを有する。入力回路３０１ａは、第１光伝送路１５１ａから受信する光信号の増幅や波長選択などを行う。同様に、入力回路３０１ｂは、第２光伝送路１５１ｂから受信する光信号の増幅や波長選択などを行う。ここで、以降の説明において、入力回路３０１ａおよび入力回路３０１ｂに共通の内容を示す場合は符号末尾のアルファベットを省略して入力回路３０１と表記する。光ＳＷ３０２は、ＴＲＰＮ盤２０２から出力される制御信号により、第１光伝送路１５１ａの光信号または第２光伝送路１５１ｂの光信号を選択するスイッチ回路を有する。
【００１８】
ＴＲＰＮ盤２０２は、光受信モジュール４０１と、フレーマ４０２と、制御部４０３とを有する。光受信モジュール４０１は、光ＳＷ３０２が選択した光信号を復調してデジタル信号を出力する。フレーマ４０２は、光受信モジュール４０１が復調したデジタル信号のフレーム処理を行って受信フレームを出力する。フレーマ４０２は、例えばEthernetフレームの場合はEthernetフレームに対応したフレーム処理を行い、SDH/SONETフレームの場合はSDH/SONETフレームに対応したフレーム処理を行う。また、フレーマ４０２は、フレーム処理時にフレーム異常（LOF(Lost Of Frame)、AIS(Alarm Identification Signal)、ビットエラー等）を検出して制御部４０３に通知する。さらに、制御部４０３は、光受信モジュール４０１が出力する光信号のレベルや同期状態などをモニタする。そして、制御部４０３は、光受信モジュール４０１が出力する光信号のレベルが予め設定された閾値以下になった場合やフレーマ４０２がフレーム異常を検出した場合に、光ＳＷ３０２に切り替え信号を出力して光信号の切り替えを行う。例えば、制御部４０３は、第１光伝送路１５１ａの光信号を受信中にフレーマ４０２がフレーム異常を検出した場合、光ＳＷ３０２に切り替え信号を出力して、第１光伝送路１５１ａの光信号から第２光伝送路１５１ｂの光信号に切り替える。さらに、制御部４０３は、光受信モジュール４０１に粗調整モードまたは微調整モードの動作を指示する。例えば、制御部４０３は、フレーマ４０２がフレーム異常を検出した場合に、光受信モジュール４０１に粗調整モードの動作を指示する。これにより、本実施形態に係る光受信装置１０２は、粗調整モードにより迅速に通信を安定させることができる。
【００１９】
このようにして、本実施形態に係る光受信装置１０２は、フレーマ４０２のフレーム異常の検出に基づいて、第１光伝送路１５１ａおよび第２光伝送路１５１ｂの光信号を切り替えることができる。
【００２０】
図２は、光伝送路の一例を示す。図２において、光伝送路１５１を通過する信号は、偏光回転歪み５０１、偏波分散歪み５０２、相互位相変調５０３、偏波依存損失５０４、四光波混合ノイズ５０５、波長分散歪み５０６、自己位相変調５０７などの波形歪みやノイズを有する。また、光伝送路１５１を通過する信号には、ＡＳＥ(Amplified Spontaneous Emission)ノイズ５０８ａ〜５０８ｄなどの熱雑音によるノイズが各段階で加算される。このため、光受信装置１０２では、波形歪みやノイズがある場合でも誤りなくデータを復調するために様々な補正処理を行っている。以下、光伝送路１５１で受ける波形歪みやノイズについて簡単に説明する。
【００２１】
偏光回転歪み５０１は、ＰＲ(Polarization Rotation)と呼ばれる波形歪みで、光伝送路１５１の特性に応じて光信号の偏光面が回転することで生じる。
【００２２】
偏波分散歪み５０２は、ＰＭＤ(Polarization Mode Dispersion)と呼ばれる波形歪みで、光の伝播速度が偏波によって異なることで生じる。偏波分散歪み５０２により、長距離になるほど信号波形が崩れてデータの判別が難しくなる。
【００２３】
相互位相変調５０３は、ＸＰＭ(Cross Phase Modulation)と呼ばれる波形歪みで、波長が異なる光信号を伝搬するときに位相がシフトすることで生じる。
【００２４】
偏波依存損失５０４は、ＰＤＬ(Polarization Dependent Loss)と呼ばれる波形歪みで、偏波方向に応じて損失が異なることで生じる。
【００２５】
四光波混合ノイズ５０５は、複数の波長の光信号を伝送するときに光信号が互いに干渉して発生するノイズである。
【００２６】
波長分散歪み５０６は、ＣＤ(Color Distribution)と呼ばれる波形歪みで、波長により光の伝搬時間に遅延が生じて光パルスが広がることで生じる。
【００２７】
自己位相変調５０７は、ＳＰＭ(Self Phase Modulation)と呼ばれる波形歪みで、光ファイバーを伝搬する光信号が自身の信号により位相がシフトすることで生じる。
【００２８】
ＡＳＥノイズ５０８ａ〜５０８ｄは、増幅器や中継装置などで発生する自然放出光によるノイズであり、様々なところで光信号に加算される。
【００２９】
このように、光伝送路１５１を介して伝送される光信号は、光送信装置１０１および光受信装置１０２や中継装置を含めて、様々な歪みやノイズの影響を受けて劣化する。このため、光受信装置１０２は、劣化した光信号を補正して復調するための等化機能を有する。また、光信号の波形歪みやノイズなどの大きさや内容は、冗長化された第１光伝送路１５１ａおよび第２光伝送路１５１ｂで異なる。例えば、光受信装置１０２は、第１光伝送路１５１ａを使用している場合、第１光伝送路１５１ａでの信号劣化に合わせた補正処理を行っている。
【００３０】
図３は、光受信装置１０２の光受信モジュール４０１の一例を示す。光受信モジュール４０１は、光ＳＷ３０２から出力される光信号の光伝送路１５１などで受けた歪みなどを補正してデータを復調する処理を行い、復調したデータをフレーマ４０２に出力する。
【００３１】
図３において、光受信モジュール４０１は、光干渉器６０１、ローカル発振器６０２、ＡＤ変換器６０３ｉおよびＡＤ変換器６０３ｑ、振幅アンバランス補償器６０４、干渉器位相補償部６０５ｉおよび干渉器位相補償部６０５ｑを有する。さらに、光受信モジュール４０１は、固定等化器６０６、適応等化器６０７、周波数オフセット補償部６０８ｉおよび周波数オフセット補償部６０８ｑ、位相同期部６０９および識別部６１０を有する。
【００３２】
光干渉器６０１は、９０度ハイブリッド（Hybrid）とも呼ばれ、光ＳＷ３０２が出力する光信号にローカル発振器６０２が出力する光信号を乗算して、光ＳＷ３０２が出力する光信号をI（Imaginary）成分とＱ（Quadrature）成分とに分解する。
【００３３】
ローカル発振器６０２は、例えば周波数ｆ０（［Ｈｚ］）の光信号を出力する発振器である。
【００３４】
ＡＤ変換器６０３ｉは、光干渉器６０１が出力するＩ成分のアナログ信号をデジタル値に変換する。ここで、デジタル値に変換されたＩ成分の光信号のレベルは、制御部４０３、振幅アンバランス補償器６０４および固定等化器６０６に出力される。
【００３５】
ＡＤ変換器６０３ｑは、光干渉器６０１が出力するＱ成分のアナログ信号をデジタル値に変換する。ここで、デジタル値に変換されたＱ成分の光信号のレベルは、制御部４０３、振幅アンバランス補償器６０４および固定等化器６０６に出力される。制御部４０３は、ＡＤ変換器６０３ｉおよびＡＤ変換器６０３ｑから受け取るＩ成分の光信号およびＱ成分の光信号のそれぞれのレベルに基づいて、光信号のレベルが予め設定された閾値以下であるか否かを判別することができる。
【００３６】
振幅アンバランス補償器６０４は、ＡＤ変換器６０３ｉが出力するＩ成分の信号の振幅と、ＡＤ変換器６０３ｑが出力するＱ成分の信号の振幅とのずれを補償する。
【００３７】
干渉器位相補償部６０５ｉは、光干渉器６０１におけるＩ成分の位相のずれを補償する。
【００３８】
干渉器位相補償部６０５ｑは、光干渉器６０１におけるＱ成分の位相のずれを補償する。
【００３９】
固定等化器６０６は、予め与えられた固定の関数を信号成分に乗算して波長分散などの波形歪みの等化処理を行う。なお、固定等化器６０６は、粗調整モードにおいて、関数を変更する処理を行って波形歪みを等化する。
【００４０】
適応等化器６０７は、アクティブイコライザとも呼ばれ、波形歪みが小さくなるようにフィルタ係数を適宜制御して動的に等化処理を行い、受信信号のアイ開口が開くように調整する。ここで、適応等化器６０７の等化処理は、固定等化器６０６の関数が固定された後、微調整モードにおいて行われ、例えば波長分散の特性が小さく変動した場合でも適宜、補償することができる。
【００４１】
周波数オフセット補償部６０８ｉは、Ｉ成分の信号の周波数オフセットを補償する。
【００４２】
周波数オフセット補償部６０８ｑは、Ｑ成分の信号の周波数オフセットを補償する。
【００４３】
位相同期部６０９は、信号の位相のずれ（位相オフセット）を検出して位相同期を図る処理を行う。
【００４４】
識別部６１０は、Ｉ成分の振幅とＱ成分の振幅とで決まるＸＹ座標上の信号点を識別し、信号点に応じて決められたビット列のデジタルデータを復号し、フレーマ４０２に出力する。
【００４５】
このようにして、光受信モジュール４０１は、光伝送路１５１や中継装置などで受けた光信号の波形歪みを補償する処理を行って受信データを復調する。
【００４６】
ここで、光受信装置１０２は、信号劣化を粗く補正する粗調整モードと、信号劣化を細かく補正する微調整モードとを有する。粗調整モードは、微調整モードよりも速く目的の補正値に近づけることができるが、目的の補正値に対する許容範囲が広く、微調整モードよりも精度が低い。逆に、微調整モードは、粗調整モードよりも目的の補正値に対する許容範囲が狭く、粗調整モードよりも精度の高い補正を行うことができるが、粗調整モードよりも引き込みが遅い。
【００４７】
例えば、図１において、第１光伝送路１５１ａから第２光伝送路１５１ｂに切り替えたときに、光受信装置１０２は、第２光伝送路１５１ｂでの信号劣化に適した補正処理を迅速に行うことが求められる。本実施形態に係る光受信装置１０２は、光受信モジュール４０１が出力する光信号のレベル低下を検出しない場合でも、フレーマ４０２がフレーム異常を検出した場合に光受信モジュール４０１に粗調整モードでの動作を指示する。これにより、本実施形態に係る光受信装置１０２は、光伝送路の切替時には粗調整モードにより迅速に通信を安定させることができる。
【００４８】
図４は、本実施形態に係る光受信装置１０２の処理例を示す。
【００４９】
ステップＳ１０１において、制御部４０３は、フレーマ４０２がＬＯＦなどのフレーム異常を検出したか否かを判別する。そして、制御部４０３は、フレーマ４０２がフレーム異常を検出した場合、ステップＳ１０２の処理に進み、フレーム異常が検出されていない場合、ステップＳ１０４の処理に進む。
【００５０】
ステップＳ１０２において、制御部４０３は、光ＳＷ３０２に別経路への切り替えを指示する。図１の例では、光ＳＷ３０２が第１光伝送路１５１ａの光信号を選択している場合は第２光伝送路１５１ｂの光信号に切り替え、光ＳＷ３０２が第２光伝送路１５１ｂの光信号を選択している場合は第１光伝送路１５１ａの光信号に切り替える。
【００５１】
ステップＳ１０３において、制御部４０３は、光受信モジュール４０１の固定等化器６０６に粗調整モードの処理を開始するように指令する。これにより、固定等化器６０６は、粗調整モードの動作を開始する。なお、固定等化器６０６は、予め与えられた固定の関数を信号に乗算して波長分散など波形歪みの等化処理を行う。ここで、固定等化器６０６は、粗調整モードの動作を開始すると、干渉器位相補償部６０５ｉおよび干渉器位相補償部６０５ｑの出力信号、または、ＡＤ変換器６０３ｉおよびＡＤ変換器６０３ｑの出力信号から信号の変動を検出する。そして、固定等化器６０６は、信号の変動を抑える逆関数を求め、予め与えられた固定の関数に置き換えて等化処理を行う。ここで、逆関数は、例えばＩ成分の信号とＱ成分の信号とに基づいて求められる振幅の変動や位相の変動を補正する関数である。そして、固定等化器６０６は、位相同期部６０９の同期状態をモニタして、同期が安定するまで逆関数の特性をスイープさせる処理を行い、同期が安定した時点で逆関数の更新を停止する。以降、固定等化器６０６は、更新を停止したときの逆関数を固定の関数として等化処理を行う。
【００５２】
ステップＳ１０４において、制御部４０３は、光受信モジュール４０１を微調整モードで動作させる。なお、微調整モードは、適応等化器６０７により常に実行されているので、粗調整モードの完了と同時に光受信モジュール４０１は自立的に微調整モードに遷移する。
【００５３】
このようにして、本実施形態に係る光受信装置１０２は、フレーマ４０２がフレーム異常を検出した場合に、光伝送路１５１を切り替えると共に、光受信モジュール４０１に粗調整モードでの動作を指示する。これにより、本実施形態に係る光受信装置１０２は、光伝送路１５１の切り替えに伴う変動を迅速に安定させることができる。なお、図４では省略してあるが、光受信装置１０２は、光受信モジュール４０１が出力する光信号のレベルが閾値以下になった場合（伝送路の切断などの場合）にも、光伝送路１５１を切り替えると共に、光受信モジュール４０１に粗調整モードでの動作を指示する。
【００５４】
図５は、比較例の光受信装置９０１の一例を示す。なお、比較例の光受信装置９０１は、図１で説明した本実施形態に係る光通信システム１００と基本的な構成は同じである。また、図５において、図１で説明した本実施形態に係る光受信装置１０２と同符号のブロックは、光受信装置１０２のブロックと同一又は同様の機能を有する。
【００５５】
図５において、図１と異なる部分は、ＴＲＰＮ盤９０２の制御部９０３である。
【００５６】
制御部９０３は、制御部４０３と同様に、光受信モジュール４０１が出力する光信号のレベルなどをモニタする。そして、制御部９０３は、光受信モジュール４０１が出力する光信号のレベルが予め設定された閾値以下になった場合やフレーマ４０２がフレーム異常を検出した場合に、光ＳＷ３０２に切り替え信号を出力して光信号の切り替えを行う。さらに、制御部９０３は、光受信モジュール４０１に粗調整モードまたは微調整モードの動作を指示する。例えば、制御部４０３は、光受信モジュール４０１が出力する光信号のレベルが予め設定された閾値以下になった場合に、光受信モジュール４０１に粗調整モードの動作開始を指示する。
【００５７】
このようにして、比較例の光受信装置９０１は、光受信モジュール４０１が出力する光信号のレベルに基づいて、第１光伝送路１５１ａおよび第２光伝送路１５１ｂの光信号を切り替えることができる。
【００５８】
ここで、比較例の光受信装置９０１は、光受信モジュール４０１が出力する光信号のレベルが閾値以下になったときに光受信モジュール４０１に粗調整モードでの動作を指示する。しかし、比較例の光受信装置９０１は、フレーマ４０２がフレーム異常を検出しても光受信モジュール４０１が出力する光信号のレベルが閾値以下ではない場合、光受信モジュール４０１に粗調整モードでの動作を指示しない。
【００５９】
ところが、図２で説明したように、光伝送路１５１や光増幅器などで発生するＡＳＥノイズ５０８ａ〜５０８ｄや光ＳＷ３０２の切替時の消光比が無信号時でも完全に０ではないため、光信号のレベルが閾値以下にならない場合がある。この場合、比較例の光受信装置９０１は、粗調整モードに遷移することなく、長い時間を掛けて微調整モードで引き込みを行うことになる。
【００６０】
図６は、比較例の光受信装置９０１の処理例を示す。比較例の光受信装置が本実施形態に係る光通信システム１００と異なる点は、フレーマ４０２がフレーム異常を検出しても光信号のレベルが閾値以下にならない場合、粗調整モードを行わないことである。
【００６１】
ステップＳ９０１において、制御部９０３は、フレーマ４０２がＬＯＦなどのフレーム異常を検出したか否かを判別する。そして、制御部９０３は、フレーマ４０２がフレーム異常を検出した場合、ステップＳ９０２の処理に進み、フレーム異常が検出されていない場合、ステップＳ９０５の処理に進む。
【００６２】
ステップＳ９０２において、制御部９０３は、光ＳＷ３０２に別経路への切り替えを指示する。
【００６３】
ステップＳ９０３において、制御部９０３は、光受信モジュール４０１のＡＤ変換器６０３ｉおよびＡＤ変換器６０３ｑの光信号のレベルをモニタして、信号レベルが低下したか否かを判別する。制御部９０３は、信号レベルの低下を検出した場合はステップＳ９０４の処理に進み、信号レベルの低下を検出しない場合はステップＳ９０５の処理に進む。
【００６４】
ステップＳ９０４において、制御部９０３は、光受信モジュール４０１の固定等化器６０６に粗調整モードの処理を開始するように指令する。これにより、固定等化器６０６は、粗調整モードの動作を開始する。なお、粗調整モードにおいて、固定等化器６０６は、図４の本実施形態で説明した処理と同様の処理を行う。
【００６５】
ステップＳ９０５において、制御部９０３は、光受信モジュール４０１を微調整モードで動作させる。なお、微調整モードは、適応等化器６０７により常に実行されているので、粗調整モードの完了と同時に光受信モジュール４０１は自立的に微調整モードに遷移する。
【００６６】
このように、比較例の光受信装置９０１は、フレーマ４０２がフレーム異常を検出しても光受信モジュール４０１が出力する光信号のレベルが閾値以下に低下していない場合、光受信モジュール４０１は微調整モードで動作する。このため、比較例の光受信装置９０１は、光ＳＷ３０２の切り替えにより、光信号の波形歪みが変動しているにも拘らず微調整モードで等化処理を行うので、迅速に通信を安定させることが難しい。
【００６７】
これに対して、本実施形態に係る光通信システム１００は、フレーマ４０２がフレーム異常を検出したときに、光受信モジュール４０１が出力する光信号のレベルが低下していない場合でも、光受信モジュール４０１に粗調整モードでの動作を指示する。これにより、本実施形態に係る光受信装置１０２は、比較例のように微調整モードで調整を行う場合よりも迅速に通信を安定させることができる。例えば、本実施形態に係る光通信システム１００は、波長分散が大きく異なる伝送路を切り替えた場合でも短時間（50ms程度）で通信を安定させることができる。
【００６８】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００６９】
１００・・・光通信システム；１０１・・・光送信装置；１０２・・・光受信装置；１５１・・・光伝送路；１５１ａ・・・第１光伝送路；１５１ｂ・・・第２光伝送路；２０１・・・ＯＵＳＰＲ盤；２０２・・・ＴＲＰＮ盤；３０１，３０１ａ，３０１ｂ・・・入力回路；３０２・・・光ＳＷ；４０１・・・光受信モジュール；４０２・・・フレーマ；４０３・・・制御部；５０１・・・偏光回転歪み；５０２・・・偏波分散歪み；５０３・・・相互位相変調；５０４・・・偏波依存損失；５０５・・・四光波混合ノイズ；５０６・・・波長分散歪み；５０７・・・自己位相変調；５０８ａ〜５０８ｄ・・・ＡＳＥノイズ；６０１・・・光干渉器；６０２・・・ローカル発振器；６０３ｉ，６０３ｑ・・・ＡＤ変換器；６０４・・・振幅アンバランス補償器；６０５ｉ，６０５ｑ・・・干渉器位相補償部；６０６・・・固定等化器；６０７・・・適応等化器；６０８ｉ，６０８ｑ・・・周波数オフセット補償部；６０９・・・位相同期部；６１０・・・識別部；９０１・・・光受信装置；９０２・・・ＴＲＰＮ盤；９０３・・・制御部
【図１】
2017005605.tif 000003
【図２】
2017005605.tif 000004
【図３】
2017005605.tif 000005
【図４】
2017005605.tif 000006
【図５】
2017005605.tif 000007
【図６】
2017005605.tif 000008